(57)【要約】【課題】導光板の出光面積に関係なく、高輝度で、輝度ムラがなく、しかも薄型の面型照明装置を提供することである。【解決手段】主導光板１２の入光背面１２ｂには主反射部１３が形成され、入光背面１２ｂと対向する位置には主光源１４と副導光板１８と遮光部材２０とが配置され、入光側面１２ｃと対向する位置には副光源１６が配置される。主光源から出光される光は、副導光板１８を介して略均一な光として主導光板１２の入光背面１２ｂに入光され、副光源１６から出光される光は、主反射部１３により反射される。これにより、主導光板１２の出光面１２ａから出光される光を高輝度で、かつ、略均一な輝度のものとすることができる。【選択図】    図１
2004178850.tif 000002
【特許請求の範囲】
【請求項１】
（ａ）    被照射体の背方に配置され、その側方からの光及び背方からの補助光を取り込んでこれを前記被照射体に向けて出光する主導光板を備える面型照明装置において、
（ｂ）    前記主導光板の側方からの光を前記主導光板の入光側面から主導光板内に入光させ、
（ｃ）    前記入光した光を主導光板の入光背面に部分的に設けられた主反射部において反射させて概ね前記主反射部の幅にて出光面から出光させ、かつ、
（ｄ）    前記主導光板の背方からの補助光を、前記入光背面の前記主反射部が設けられていない補助光導入部から主導光板内に入光させ、前記補助光を概ねその幅にて前記出光面から出光させることを特徴とする面型照明装置。
【請求項２】
（ａ）    被照射体の背方に設けられ、前記被照射体に向けて光を出光する出光面と、前記出光面に対向する背面であって、背方からの光が入光する入光背面と、その側方からの光が入光する入光側面とを有する主導光板、
（ｂ）    前記入光側面に沿って配置された主光源、
（ｃ）    前記入光背面の背方に配置された１乃至複数の副光源、
（ｄ）    前記入光背面の背方にて前記副光源に沿って配置され、前記主導光板の入光側面間の幅よりもその側面間の幅が狭く、前記副光源からの補助光を概ねその幅にて前記入光背面に導く副導光板、および
（ｅ）  前記入光背面と前記副光源との間に配置され、前記副光源から前記入光背面へ直接入光しようとする光を遮断すると共にその間から前記補助光が前記主導光板を通過して前記出光面から出光するようにした遮光部材から構成され、
（ｆ）    前記入光背面における前記遮光部材と対向する部分に設けられ、前記入光側面から前記主導光板内に入光された光を概ね前記遮光部材の幅にて前記出光面へ向けて反射させ、前記補助光と共に前記主導光板から出光させる主反射部を備えることを特徴とする面型照明装置。
【請求項３】
（ａ）    被照射体の背方に設けられ、前記被照射体に向けて光を出光する出光面と、前記出光面に対向する背面であって、背方からの光が入光する入光背面と、その側方からの光が入光する入光側面とを有する主導光板、
（ｂ）    前記入光側面に沿って配置された主光源、
（ｃ）    前記入光背面の背方に配置された１乃至複数の副光源、
（ｄ）    前記入光背面の背方にて前記副光源に沿って配置され、前記主導光板の入光側面間の幅よりもその側面間の幅が狭く、前記副光源からの補助光を概ねその幅にて入光背面に導く副導光板、および
（ｅ）    前記副導光板の副入光側面に沿って配置された前記副光源を越え、少なくとも前記副導光板の前記副入光側面の反対側の位置から前記副光源と前記主導光板の前記入光背面との間にかけて前記副光源に沿うように配置され、前記副光源から出光された補助光を隣り合う前記副導光板の一方の前記入光側面へ導くと共に前記副光源から前記入光背面へ直接入光しようとする光を遮断し、且つその間から前記補助光が前記主導光板を通過して前記出光面から出光するようにした遮光部材から構成され、
（ｆ）    前記入光背面における前記遮光部材の遮光部分と対向する部分に設けられ、前記入光側面から前記主導光板内に入光された光を概ね前記遮光部分の幅にて前記出光面へ向けて反射させ、前記補助光と共に主導光板から出光させる主反射部を備えることを特徴とする面型照明装置。
【請求項４】
（ａ）    被照射体の背方に設けられ、前記被照射体に向けて光を出光する出光面と、前記出光面に対向する背面であって、背方からの光が入光する入光背面と、その側方からの光が入光する入光側面とを有する主導光板、
（ｂ）    前記入光側面に沿って配置された主光源、
（ｃ）    前記入光背面の背方に配置された１乃至複数の副光源、
（ｄ）    前記入光背面の背方に配置され、前記副光源収納用の溝又は通孔を有し、前記副光源からの補助光を前記溝又は前記通孔の形成部分以外の副導光部において前記入光背面に導く副導光板、および
（ｅ）    前記入光背面と前記副光源との間に配置され、前記副光源から前記入光背面へ直接入光しようとする光を遮断すると共にその間から前記補助光が前記主導光板を通過して前記出光面から出光するようにした遮光部材から構成され、
（ｆ）    前記入光背面における前記遮光部材と対向する部分に設けられ、前記入光側面から前記主導光板内に入光された光を概ね前記遮光部材の幅にて前記出光面へ向けて反射させ、前記補助光と共に前記主導光板から出光させる主反射部を備えることを特徴とする面型照明装置。
【請求項５】
前記主反射部は、白色ドット印刷或いは凹シボ又は凸シボで構成され、前記主光源から離れるに従って単位面積当たりの密度が高くなるように設けられていることを特徴とする、請求項１から４のいずれかに記載の面型照明装置。
【請求項６】
前記遮光部材は、前記主導光板に対して所定の間隔を隔てて配置されていることを特徴とする、請求項１から５のいずれかに記載の面型照明装置。
【発明の詳細な説明】
【０００１】
【発明の属する技術分野】
この発明は、たとえば液晶表示パネルなどの被照射体のバックライトとして用いられる面型照明装置、特に新規な薄型大画面の面型照明装置に関する。
【０００２】
【従来の技術】
この種の面型照明装置としては、図８（Ａ）に示すいわゆるサイドライト型の面型照明装置（１ａ）と、図８（Ｂ）に示すいわゆる直下型の面型照明装置（１ｂ）とがある（例えば、特許文献１参照。）。
【０００３】
サイドライト型の面型照明装置（１ａ）は、液晶表示板などの被照射体（２）の背面に設けられ、光源（３）からの光を取り込む入光側面（４ａ）と、入光側面（４ａ）から取り込んだ光を前方に出光する出光面（４ｂ）と、出光面（４ｂ）と対向する背面に設けられた反射面（４ｃ）とを有する導光板（４）、入光側面（４ａ）に沿って配置された光源（３）、反射面（４ｃ）の背面に設置された反射板（５）などから構成されており、反射面（４ｃ）には、入光側面（４ａ）から取り込んだ光を出光面（４ｂ）へ向けて反射する反射ドット（６）が形成されている。光源（３）が点灯されると、光源（３）からの光が入光側面（４ａ）から導光板（４）内へ入光され、導光板（４）の内部を伝わった光の一部は出光面（４ｂ）から直接出光され、且つ反射面（４ｃ）にて出光された光も同様に出光面（４ｂ）から出光され、その前方に設置された被照射体（２）を照射する。
【０００４】
サイドライト形の面型照明装置（１ａ）は、反射面（４ｃ）に形成される反射ドット（６）を調整することにより、出光面（４ｂ）から出光される光の輝度を均一化することができるものであり、光源（３）を導光板（４）のサイドに設置することができ、全体を薄型にすることができるという利点がある。しかしながら、配置できる光源（３）の本数や、光源（３）の光量に制約があるため、導光板（４）の出光面積が大きくなると、単位面積当りの光量が低下してしまい、暗い面光源しか得られないという問題があった。
【０００５】
一方、直下型の面型照明装置（１ｂ）は、被照射体（８）の背面に設けられ、光源（３）からの光を取り込む入光背面（７ａ）と、入光背面（７ａ）から取り込んだ光を前方の被照射体（８）に向けて出光する出光面（７ｂ）とを有する拡散板（７）、入光背面（７ａ）に沿って配置された複数の光源（３）、光源（３）の背面に設けられた反射板（５）などから構成されている。
【０００６】
光源（３）が点灯されると、光源（３）からの光が入光背面（７ａ）から拡散板（７）内へ入光され、拡散板（７）の内部を拡散されながら伝わって出光面（７ｂ）から出光される。そして、出光面（７ｂ）全体から出光された光はその前方に設置された被照射体（８）を照射する。前記拡散板（７）はこの意味で、サイドライト型の面型照明装置（１ａ）における導光板（４）と同様の働きをするものであるが、次のような問題点を有する。
【０００７】
即ち、直下型の面型照明装置（１ｂ）では、拡散板（７）の入光背面（７ａ）に沿って任意本数の光源（３）を配置することができるため、その出光面積の大小に関係なく高輝度の面光源を提供できるという利点がある。しかしながら、光源（３）のランプイメージが輝線として拡散板（７）に投影されてしまうので、たとえ拡散板（７）を通して出光したとしても拡散板（７）の光源（３）の近傍部分は明るく、拡散板（７）における光源（３）間或いは端部では光源（３）から離れるに次第に暗くなる。その結果、出光面（７ｂ）から出光される光には輝度ムラが存在し、このような直下型の面型照明装置（１ｂ）では、輝度ムラのある面光源しか得られないという問題がある。そこでこのような輝度ムラを少なくそうとすると、光源（３）を拡散板（７）から遠くに離したり或いは拡散板（７）の層厚を充分な厚さに設定して光源（３）から出光された光を拡散板（７）内にて十分に拡散し、輝度ムラをなくして面全体の均一な明るさを達成することも可能であるが、そのためには、その分面型照明装置（１ｂ）の総厚が分厚くなり、また、高コスト化してしまうという問題もあった。
【０００８】
【特許文献１】
特開平５−２９７３６６号公報（第６，７図）
【０００９】
【発明が解決しようとする課題】
この発明の主たる目的は、大出光面積に拘わらず、高輝度で、輝度ムラがなく、しかも薄型にすることができる面型照明装置を提供することである。
【００１０】
【課題を解決するための手段】
請求項１に記載した発明は「（ａ）被照射体（Ａ）の背方に配置され、その側方からの光及び背方からの補助光を取り込んでこれを被照射体（Ａ）に向けて出光する主導光板（１２）を備える面型照明装置（１０）において、（ｂ）主導光板（１２）の側方からの光を主導光板（１２）の入光側面（１２ｃ）から主導光板（１２）内に入光させ、（ｃ）前記入光した光を主導光板（１２）の入光背面（１２ｂ）に部分的に設けられた主反射部（１３）において反射させて概ね主反射部（１３）の幅にて出光面（１２ａ）から出光させ、かつ、（ｄ）主導光板（１２）の背方からの補助光を、入光背面（１２ｂ）の主反射部（１３）が設けられていない補助光導入部（１５）から主導光板（１２）内に入光させ、前記補助光を概ねその幅にて出光面（１２ａ）から出光させることを特徴とする面型照明装置（１０）」である。
【００１１】
この発明では、出光面（１２ａ）における主反射部（１３）と対向する部分において主光源（１４）からの光を出光し、出光面（１２ａ）における残りの部分において副光源（１６）からの補助光を出光するようにしているので、大画面の出光面（１２ａ）全面に亘って、高輝度で、かつ略均一な輝度の光を出光することができる。
【００１２】
請求項２に記載した発明は、本発明の第一実施例（図１〜４参照）で、「（ａ）被照射体（Ａ）の背方に設けられ、被照射体（Ａ）に向けて光を出光する出光面（１２ａ）と、出光面（１２ａ）に対向する背面であって、背方からの光が入光する入光背面（１２ｂ）と、その側方からの光が入光する入光側面（１２ｃ）とを有する主導光板（１２）、（ｂ）入光側面（１２ｃ）に沿って配置された主光源（１４）、（ｃ）入光背面（１２ｂ）の背方に配置された１乃至複数の副光源（１６）、（ｄ）入光背面（１２ｂ）の背方にて副光源（１６）に沿って配置され、主導光板（１２）の入光側面間の幅（Ｌｍ）よりもその側面間の幅（Ｌａ１）が狭く、副光源（１６）からの補助光を概ねその幅にて入光背面（１２ｂ）に導く副導光板（１８）、および（ｅ）入光背面（１２ｂ）と副光源（１６）との間に配置され、副光源（１６）から入光背面（１２ｂ）へ直接入光しようとする光を遮断すると共にその間から前記補助光が主導光板（１２）を通過して出光面（１２ａ）から出光するようにした遮光部材（２０）から構成され、（ｆ）入光背面（１２ｂ）における遮光部材（２０）と対向する部分に設けられ、入光側面（１２ｃ）から主導光板（１２）内に入光された光を概ね遮光部材（２０）の幅（Ｌｓ１）にて出光面（１２ａ）へ向けて反射させ、前記補助光と共に主導光板（１２）から出光させる主反射部（１３）を備えることを特徴とする面型照明装置（１０）」である。
【００１３】
請求項２に記載した発明では、主光源（１４）から出光される光を主導光板（１２）の入光背面（１２ｂ）に部分的に設けられた主反射部（１３）において反射させ、かつ、副光源（１６）から出光される補助光を前記遮光部材（２０）同士の間を通過させ主反射部（１３）の間［即ち、入光背面（１２ｂ）における主反射部（１３）が設けられていない部分＝以下、補助光導入部（１５）という］から主導光板（１２）内に導くようになっているので、主光源（１４）からの光量が大画面の出光面（１２ａ）の全面に対して不足したとしても、主光源（１４）と副光源（１６）との相互補完によって大画面の出光面（１２ａ）全体として高輝度で、かつ、略均一な輝度の光を出光することができるようになった。しかも、遮光部材（２０）により、副光源（１６）から出光された光が直接主導光板（１２）の入光背面（１２ｂ）に入らないようにしているので、副光源（１６）からの光が主導光板（１２）から出光される光にランプイメージとして投影されることはなく副光源（１６）による輝度ムラを抑制することができ、加えて副光源（１６）を主光源（１４）に接近させることができるので、副光源（１６）を設けたとしても全体の厚みを抑制することができる。
【００１４】
請求項３に記載した発明は、本発明の第二実施例（図５参照）で、「（ａ）被照射体（Ａ）の背方に設けられ、被照射体（Ａ）に向けて光を出光する出光面（１２ａ）と、出光面（１２ａ）に対向する背面であって、背方からの光が入光する入光背面（１２ｂ）と、その側方からの光が入光する入光側面（１２ｃ）とを有する主導光板（１２）、（ｂ）入光側面（１２ｃ）に沿って配置された主光源（１４）、（ｃ）入光背面（１２ｂ）の背方に配置された１乃至複数の副光源（１６）、（ｄ）入光背面（１２ｂ）の背方にて副光源（１６）に沿って配置され、主導光板（１２）の入光側面（１２ｃ）間の幅（Ｌｍ）よりもその側面間の幅（Ｌａ１）が狭く、副光源（１６）からの補助光を概ねその幅にて入光背面（１２ｂ）に導く副導光板（１８）、および（ｅ）副導光板（１８）の副入光側面（１８ａ）に沿って配置された副光源（１６）を越え、少なくとも副入光側面（１８ａ）の反対側の位置から副光源（１６）と主導光板（１２）の入光背面（１２ｂ）との間にかけて副光源（１６）に沿うように配置され、前記副光源（１６）から出光された補助光を隣り合う副導光板（１８）の一方の副入光側面（１８ａ）へ導くと共に副光源（１６）から入光背面（１２ｂ）へ直接入光しようとする光を遮断し、且つその間から前記補助光が主導光板（１２）を通過して出光面（１２ａ）から出光するようにした遮光部材（５２）から構成され、（ｆ）入光背面（１２ｂ）における遮光部材（５２）の遮光部分（５２ａ）と対向する部分に設けられ、入光側面（１２ｃ）から主導光板（１２）内に入光された光を概ね遮光部分（５２ａ）の幅（Ｌｓ２）にて出光面（１２ａ）へ向けて反射させ、前記補助光と共に主導光板（１２）から出光させる主反射部（１３）を備えることを特徴とする面型照明装置（５０）」である。
【００１５】
この発明においても、請求項１と同様に副光源（１６）と副導光板（１８）を使用することで、全体の厚みをそれ程大きくすることなく主光源（１４）だけでは光量が不足する大画面の出光面（１２ａ）から、全体として高輝度で、かつ、略均一な輝度の光が出光される。
【００１６】
請求項４に記載した発明は本発明の第三、四実施例（図６及び図７参照）で「（ａ）被照射体（Ａ）の背方に設けられ、被照射体（Ａ）に向けて光を出光する出光面（１２ａ）と、出光面（１２ａ）に対向する背面であって、背方からの光が入光する入光背面（１２ｂ）と、その側方からの光が入光する入光側面（１２ｃ）とを有する主導光板（１２）、（ｂ）入光側面（１２ｃ）に沿って配置された主光源（１４）、（ｃ）入光背面（１２ｂ）の背方に配置された１乃至複数の副光源（１６）、（ｄ）入光背面（１２ｂ）の背方に配置され、副光源（１６）収納用の溝（６４）又は通孔（７４）を有し、前記副光源（１６）からの補助光を溝（６４）又は通孔（７４）の形成部分以外の副導光部（６２ｄ）（７２ｄ）において前記入光背面（１２ｂ）に導く副導光板（６２）（７２）、および（ｅ）入光背面（１２ｂ）と副光源（１６）との間に配置され、副光源（１６）から入光背面（１２ｂ）へ直接入光しようとする光を遮断すると共にその間から前記補助光が主導光板（１２）を通過して出光面（１２ａ）から出光するようにした遮光部材（２０）から構成され、（ｆ）入光背面（１２ｂ）における遮光部材（２０）と対向する部分に設けられ、入光側面（１２ｃ）から主導光板（１２）内に入光された光を概ね遮光部材（２０）の幅（Ｌｓ１）にて出光面（１２ａ）へ向けて反射させ、前記補助光と共に主導光板（１２）から出光させる主反射部（１３）を備えることを特徴とする面型照明装置（６０）（７０）」である。
【００１７】
この発明においても、請求項１と同様に副光源（１６）と副導光板（６２）（７２）を使用することで、全体の厚みをそれ程大きくすることなく主光源（１４）だけでは光量の不足する大画面の出光面（１２ａ）から、全体として高輝度で、かつ、略均一な輝度の光が出光される。
【００１８】
請求項５に記載した発明は、請求項１から４のいずれかに記載された面型照明装置（１０）（５０）（６０）（７０）を限定したものであり、「主反射部（１３）は、白色ドット印刷或いは凹シボ又は凸シボで構成され、主光源（１４）から離れるに従って単位面積当たりの密度が高くなるように設けられている」ことを特徴とするものである。
【００１９】
本発明によれば、主光源（１４）からの光量が主光源（１４）から離れるに従って減少して輝度が低下したとしても、主反射部（１３）にて反射される単位面積当たりの光量を増加させることにより不足分を補うことができ、主光源（１４）による出光面（１２ａ）の光量が略均一に保たれることになる。
【００２０】
請求項６に記載した発明は、請求項１から４のいずれかに記載の面型照明装置（１０）（５０）（６０）（７０）を限定したもので、「遮光部材（２０）（５２）又は副導光板（１８）（６２）（７２）は、主導光板（１２）に対して所定の間隔を隔てて配置されている」ことを特徴とするものである。このようにすることにより、遮光部材（２０）又は副導光板（１８）（６２）（７２）を主導光板（１２）に密着させたときに発生する干渉縞の発生を防止することができる。
【００２１】
【発明の効果】
この発明によれば、主光源（１４）から出光される光を主導光板（１２）の側方から入光させ、入光背面（１２ｂ）に部分的に（実質的には所定間隔にて）設けられた主反射部（１３）において反射させ、概ね遮光部材（２０）（５２）の幅（Ｌｓ１）（Ｌｓ２）にて出光面（１２ａ）から出光させ、且つ、副光源（１６）から出光される補助光を副導光板（１８）（６２）（７２）によって入光背面（１２ｂ）に導き、遮光部材（２０）（５２）同士の間から主導光板（１２）を通過させ、概ね遮光部材（２０）（５２）間の幅にて出光面（１２ａ）から出光させるようにしているので、そして、前記副光源（１６）からの補助光は全て副導光板（１８）（６２）（７２）を通って主導光板（１２）に入光され、副導光板（１８）（６２）（７２）全面から略均一な光となって出光されることになる（換言すれば、副導光板（１８）（６２）（７２）が均一な補助光を出光する面光源となる）ので、主光源（１４）だけでは光量が不足するような大画面であっても、前記補助光と主光源（１４）から出光される光とを相互補完させることができ、大画面である主導光板（１２）の出光面（１２ａ）から出光される光をその全面にわたって高輝度で、かつ、略均一な輝度のものとすることができるようになった。
【００２２】
また、副光源（１６）を主導光板（１２）の背方に設置したとしても、遮光部材（２０）（５２）の存在により遮光されて副光源（１６）の光が直接主導光板（１２）に入光しないので、副光源（１６）が主導光板（１２）から直接視認されることがなく、それ故、副光源（１６）を主導光板（１２）に近接させて配置することができ、面型照明装置（１０）（５０）（６０）（７０）の薄型化に寄与する。これに加えて前述のように出光面（１２ａ）から出光される光の輝度が大画面である主導光板（１２）の全面にわたって略均一となるので、被照射体（Ａ）と主導光板（１２）との間に設けられる拡散層（２６）の層厚を薄くすることができ、その結果、大画面の面型照明装置（１０）（５０）（６０）（７０）をより薄型化・軽量化・低コスト化することができるようになった。
【００２３】
【発明の実施の形態】
以下、本発明を図示実施例に従って詳述する。この発明の一実施例の面型照明装置（１０）［図１〜４を参照］は、ＴＶ受像機やコンピュータディスプレイなどの被照射体（Ａ）を背面から照射するバックライトとして用いられるものであり、主導光板（１２）、主光源（１４）、副光源（１６）、副導光板（１８）、遮光部材（２０）、反射板（２２）、ランプリフレクタ（２４）および拡散層（２６）から構成されている。
【００２４】
主導光板（１２）は、アクリル樹脂等のような透光性材料からなる板状部材であり、その前面は出光面（１２ａ）とされ、出光面（１２ａ）と対向する背面は入光背面（１２ｂ）とされ、その側端面は入光側面（１２ｃ）とされる。
【００２５】
主導光板（１２）の大きさは、被照射体（Ａ）の大きさに合わせて適宜設定され、その入光背面（１２ｂ）には、後述する遮光部材（２０）に沿って複数（この実施例では４つ）の主反射部（１３）が形成されており、入光背面（１２ｂ）における主反射部（１３）が設けられていない部分は補助光導入部（１５）とされる。
【００２６】
主反射部（１３）は、主導光板（１２）内に入光された光を出光面（１２ａ）へ向けて反射するためのものであり、出光面（１２ａ）から出る光が指向性を示すものや拡散性を示すものがある。各主反射部（１３）は、複数の反射ドット（１３ａ）が集合することにより構成されている。各主反射部（１３）の幅（主導光板（１２）の入光側面（１２ｃ）方向の長さをいう。）は、後述する遮光部材（２０）の幅（Ｌｓ１）と略等しく設定されている。
【００２７】
反射ドット（１３ａ）としては、たとえば、スクリーン印刷による白色ドットや、半円球状或いは三角錘、四角錘形状の凹シボ・凸シボ、あるいはアクリルビーズなどの樹脂をバインダーにより固定化したものなどが適宜選択され、その形状や単位面積当たりの加工密度を調整することにより、各主反射部（１３）から出光面（１２ａ）へ向けて反射される光量（輝度）を適宜変更することができるようになっている。本実施例では、主反射部（１３）にて反射される光が、略均一な輝度で、かつ、概ね遮光部材（２０）の幅（Ｌｓ１）の光となるように反射ドット（１３ａ）が調整されている。なお、後述する副導光板（１８）からの補助光が拡散型であるから、出光面（１２ａ）全体から出光される光の均斉度を確保する上で主反射部（１３）によって反射され、出光面（１２ａ）から出る光は拡散性を示すものであることが好ましい。
【００２８】
反射ドット（１３ａ）の形成方法としては、例えば、本実施例のように主導光板（１２）の両側に主光源（１４）が設置されている場合には、主導光板（１２）の中央部に行くほど（換言すれば、主光源（１４）から離れるほど）反射ドット（１３ａ）の単位面積当りの密度が高くなるように設定するのが好ましい。なお、遮光部材（２０）の幅（Ｌｓ１）が狭い場合には、遮光部材（２０）の幅（Ｌｓ１）毎に密度を高めるようにしてもよい。
【００２９】
これにより、主導光板（１２）の中央部分に行く程、主光源（１４）から届く光量が少なくなるが、反射ドット（１３ａ）の単位面積当りの密度は次第に高くなるため、反射ドット（１３ａ）にて反射される光量は増え、結果として、主反射部（１３）によって反射される主光源（１４）からの光が主導光板（１２）全体にわたって均一となる。
【００３０】
前述の主導光板（１２）の各入光側面（１２ｃ）の側方には、入光側面（１２ｃ）に沿って主光源（１４）が配置されている。主光源（１４）は、主導光板（１２）の入光側面（１２ｃ）の全面に対して光を照射するためのものであり、この実施例では、主光源（１４）としての陰極放電管が入光側面（１２ｃ）に沿って配置されている。
【００３１】
また、主導光板（１２）の入光背面（１２ｂ）の背方には、所定の間隔を隔てて複数（この実施例では６つ）の副光源（１６）が並列に配置されている。
副光源（１６）は、後述する副導光板（１８）の副入光側面（１８ａ）の全面に対して光を照射するためのものであり、この実施例では、冷陰極放電管が使用される。
【００３２】
なお、主光源（１４）および副光源（１６）としては、冷陰極放電管の他に、蛍光灯またはハロゲンランプ等が用いられてもよい。
【００３３】
そして、副光源（１６）の間には副導光板（１８）がそれぞれ配置されている。副導光板（１８）は、アクリル樹脂等のような透光性材料からなる板状部材であり、その側端面は副入光側面（１８ａ）とされ、副入光側面（１８ａ）と直交する背面は副反射面（１８ｂ）とされ、副反射面（１８ｂ）と対向する前面は副出光面（１８ｃ）とされる。
【００３４】
副導光板（１８）の幅（Ｌａ１）（副導光板（１８）における副入光側面（１８ａ）間の長さをいう。）は、主導光板（１２）の幅（Ｌｍ）（主導光板（１２）の入光側面（１２ｃ）間の長さをいう。）よりも短く設定され、その厚さ（Ｔａ１）は、副光源（１６）の外径よりもやや大きめ（好ましくは、副光源（１６）の外径の１．１倍）に設定され、その副反射面（１８ｂ）には副反射部（１９）が形成されている。
【００３５】
副反射部（１９）は、副導光板（１８）内に入光された光を副出光面（１８ｃ）へ向けて反射するためのものであり、副反射面（１８ｂ）の全面にわたり形成された複数の反射ドット（１９ａ）により構成されている。
【００３６】
反射ドット（１９ａ）としては、前述同様、たとえばスクリーン印刷による白色ドットや、凹シボ・凸シボ、あるいはアクリルビーズなどの樹脂をバインダーにより固定化したものなどを適宜選択することができ、その形状や単位面積当たりの加工密度を調整することにより、略均一な輝度で、かつ、概ね副導光板（１８）の幅（Ｌａ１）の光を副出光面（１８ｃ）から出光することができる。前述同様、反射ドット（１９ａ）の種類により、副出光面（１８ｃ）から出光される補助光には指向性を有するものと拡散性を示すものがあるが、ここでは拡散型が使用されている。
【００３７】
本実施例では、副導光板（１８）の幅（Ｌａ１）と厚さ（Ｔａ１）とが、（Ｌａ１／Ｔａ１）＜２０の関係を満たすように設定されており、副反射部（１９）における反射ドット（１９ａ）の単位面積当たりの加工密度が副反射面（１８ｂ）の全面に亘り略均一となるように調整されている。そして、かかる構成により、副出光面（１８ｃ）の全面にわたり略均一な輝度で、かつ、概ね副導光板（１８）の幅（Ｌａ１）の光が出光される。
【００３８】
なお、本実施例においては、副導光板（１８）の副反射面（１８ｂ）に副反射部（１９）を形成するようにしているが、この副反射部（１９）を副出光面（１８ｃ）側に形成するようにしてもよい。ただし、この場合には、反射ドット（１９ａ）として副出光面（１８ｃ）から出光される補助光が拡散型を示す凹シボ・凸シボが選択的に適用される。
【００３９】
主反射部（１３）と副光源（１６）との間において、主反射部（１３）に接して或いは若干離間させて遮光部材（２０）が配置されている。遮光部材（２０）の一例は、副光源（１６）から出光される光が直接主導光板（１２）に入光するのを防止するための薄肉の板状部材であり、その幅（Ｌｓ１）は、隣接する副導光板（１８）同士の離間距離（Ｄ１）と略等しく或いは離間距離（Ｄ１）より大きく、遮光部材（２０）の端部が若干副導光板（１８）の端部にかかるように設定され、材質的にはアルミニウム板或いはその表面に蒸着などによりアルミニウムなどの金属薄膜が形成された樹脂板などで構成されている。遮光部材（２０）の他の例は、アルミ箔が混入されている光輝性塗料を主反射部（１３）に塗着する場合で、主反射部（１３）に反射膜層が形成されることになる。
【００４０】
副光源（１６）及び副導光板（１８）の背方には、反射板（２２）が配置されている。反射板（２２）は、主光源（１４）や副光源（１６）からの背方への照射光、或いは主導光板（１２）の入光背面（１２ｂ）や副導光板（１８）の副反射面（１８ｂ）からの背方への照射光を前方へ反射させるためのシート状部材であり、その幅が主導光板（１２）の幅（Ｌｍ）と略等しく設定されたアルミ金属板などのような正反射部材または白色ＰＥＴフィルムなどのような乱反射部材により形成されている。また、これらに代えて前述の光輝性塗料を塗着するようにしてもよい。
【００４１】
そして、主光源（１４）及び両サイドの副光源（１６）の側方には、主光源（１４）および両サイドの副光源（１６）から出光される光を反射して主導光板（１２）の入光側面（１２ｃ）または両サイドの副導光板（１８）の副入光側面（１８ａ）に入光させるランプリフレクタ（２４）が配置されている。
【００４２】
ランプリフレクタ（２４）は、主光源（１４）および両サイドの副光源（１６）から出光された光を主導光板（１２）および両サイドの副導光板（１８）に導くためのものであり、アルミニウム金属板等のような正反射部材により横向きの略Ｕ字形状に形成され、主光源（１４）および両サイドの副光源（１６）を覆うように配設されている。
【００４３】
主導光板（１２）の前方には拡散層（２６）が配置されている。拡散層（２６）は、主導光板（１２）の出光面（１２ａ）から出光される光の輝度ムラ、輝度などを調整するためのものであり、下拡散板（２８）、レンズシート（３０）、および上拡散板（３２）から構成されている。
【００４４】
下拡散板（２８）は、出光面（１２ａ）から出光された光を拡散させるためのシート状部材であり、アクリル樹脂のような透過性材料に金属粒などの光を拡散させる物質を混合することにより形成されている。
【００４５】
レンズシート（３０）は、主導光板（１２）の出光面（１２ａ）から出光される光の光軸を、主導光板（１２）の出光面（１２ａ）に対してほぼ直交する方向へ修正するためのシート状部材であり、アクリル樹脂のような透光性材料により形成されている。レンズシート（３０）の前面には、断面三角形状の複数の突条（３０ａ）が主光源（１４）の長手方向に延びて形成されている。
【００４６】
上拡散板（３２）は、レンズシート（３０）から出光された光を更に拡散させるためのシート状部材であり、下拡散板（２８）と同様、アクリル樹脂のような透過性材料に金属粒などの光を拡散させる物質を混合することにより形成されている。
【００４７】
なお、本実施例では、下拡散板（２８）、レンズシート（３０）、および上拡散板（３２）の組み合わせを拡散層（２６）としているが、例えば、下拡散板（２８）とレンズシート（３０）との組み合わせを拡散層（２６）としてもよいし、レンズシート（３０）だけを拡散層（２６）としてもよい。
【００４８】
次に本実施例の作用について説明する。被照射体（Ａ）の背面に面型照明装置（１０）を配置して、主光源（１４）および副光源（１６）を点灯する。
【００４９】
主光源（１４）から出光された光は、直接あるいはランプリフレクタ（２４）に反射して主導光板（１２）の入光側面（１２ｃ）に入光される。主導光板（１２）内に取り込まれた光は、主導光板（１２）内を乱反射しながら進行し、直接、あるいは、入光背面（１２ｂ）に部分的に設けられた主反射部（１３）に反射されて出光面（１２ａ）から出光される。換言すれば、主反射部（１３）にて反射された光は、概ね、遮光部材（２０）の幅（Ｌｓ１）の光として出光面（１２ａ）の一部分（すなわち、主反射部（１３）と対向する部分）から出光される。
【００５０】
次に、副光源（１６）から出光される補助光の挙動について説明する。副光源（１６）から出光された補助光は、直接、あるいは、遮光部材（２０）や反射板（２２）に反射されて副導光板（１８）の副入光側面（１８ａ）に入光する。なお、副光源（１６）と主導光板（１２）との間には遮光部材（２０）が配置されているので、副光源（１６）から主導光板（１２）へ向けて出光された補助光は遮光部材（２０）によって反射され、主導光板（１２）に直接入光されることはない。副導光板（１８）内に取り込まれた補助光は、副導光板（１８）内を乱反射しながら、直接あるいは副反射部（１９）に反射されて副出光面（１８ｃ）から出光される。
【００５１】
副導光板（１８）の副出光面（１８ｃ）から出光された補助光は、遮光部材（２０）同士の間を通過して、主導光板（１２）の入光背面（１２ｂ）における反射部（１３）が形成されていない補助光導入部（１５）に入光する。そして、当該主導光板（１２）内に取り込まれた補助光は、主導光板（１２）内を進行し、出光面（１２ａ）の残りの部分（すなわち、主反射部（１３）と対向しない部分）から出光される。
【００５２】
なお、主反射部（１３）の反射ドット（１３ａ）および、副反射部（１９）の反射ドット（１９ａ）を調整することにより、出光面（１２ａ）の一部分から出光される主光源（１４）からの光の輝度と、出光面（１２ａ）の残りの部分から出光される副光源（１６）からの光の輝度とを略均一にすることができ、これにより、出光面（１２ａ）全体として輝度ムラの少ない光が出光されることとなる。そして、出光面（１２ａ）から出光された光は、拡散層（２６）を通ることにより拡散され、輝度ムラ調整がなされた後、薄型且つ大型の面型照明体として全体に略均斉度の取れた状態で被照射体（Ａ）を照射する事になる。
【００５３】
なお、遮光部材（２０）の代わりに、図４に示すような遮光部材（４０）を使用するようにしてもよい。遮光部材（４０）は、その幅（Ｌｓ１’）が副導光板（１８）同士の離間距離（Ｄ１）よりも長めに設定されており、副導光板（１８）の端部と重なっているその幅方向端縁部（４０ａ）には、副導光板（１８）から出光される補助光を透過させるための複数の通孔（４２）が形成されている。そして、通孔（４２）の形状や単位面積当りの加工密度を適宜調整することにより、副導光板（１８）から出光される補助光の端縁部の光量を調整できるようになっている。
【００５４】
即ち、副光源（１６）から出光される補助光は、前述同様、副導光板（１８）の副出光面（１８ｃ）から出光される。副出光面（１８ｃ）から出光される補助光のうち端縁部分から出光される補助光は、遮光部材（４０）の通孔（４２）を通って、主導光板（１２）の入光背面（１２ｂ）における主反射部（１３）の端縁部分に入光され、主反射部（１３）にて反射される主光源（１４）からの光に重畳して出光面（１２ａ）の一部分（すなわち、主反射部（１３）と対向する部分の端縁部分）から出光される。（この場合には、通孔（４２）を通って主反射部（１３）に入光した副光源（１６）の補助光の分だけ主反射部（１３）にて反射される光量が多くなる。）その結果、主反射部（１３）によって反射され、出光面（１２ａ）における主反射部（１３）と対向している部分から出光する光と、副出光面（１８ｃ）から出光され、遮光部材（４０）同士の間を通って主導光板（１２）の入光背面（１２ｂ）における主反射部（１３）が形成されていない補助光導入部（１５）を通って出光面（１２ａ）における主反射部（１３）と対向していない部分から出光する補助光との境界部分を不明瞭にし、より均斉度の高い画面とすることができる。
【００５５】
上述の実施例では、副光源（１６）から出光された補助光が、隣り合う両方の副導光板（１８）の副入光側面（１８ａ）に入光できるようになっていたが、図５に示す面型照明装置（５０）［実施例２］のように、副導光板（１８）の副入光側面（１８ａ）に沿って配置された副光源（１６）を越え、副入光側面（１８ａ）の反対側の位置から副光源（１６）と主導光板（１２）の入光背面（１２ｂ）間にかけて副光源（１６）に沿うように遮光部材（５２）を配置し、副光源（１６）からの光を、副光源（１６）と隣合う副導光板（１８）の一方の副入光側面（１８ａ）にのみ入光するようにしてもよい。
【００５６】
遮光部材（５２）は、横向きの略Ｕ字形状に形成されたアルミニウム金属板などの薄い板状部材或いはその表面に蒸着などによりアルミニウムなどの金属薄膜が形成されが樹脂板で構成され、副光源（１６）と主導光板（１２）との間の部分が遮光部分（５２ａ）であり、それに続く副光源（１６）に沿う部分が反射部（５２ｂ）である。前記遮光部分（５２ａ）の幅（Ｌｓ２）は、副導光板（１８）間の離間距離（Ｄ１）と略等しく或いは遮光部分（５２ａ）の先端部分が隣接する副導光板（１８）の側縁部に若干重なり合うように設定されている。そして、遮光部材（５２）は、その遮光部分（５２ａ）が、隣接する副導光板（１８）の他方の副入光側面（１８ａ）に当接された状態となるように配置されている。なお、主反射部（１３）の幅は、遮光部材（５２）の遮光部分（５２ａ）の幅（Ｌｓ２）と略等しく設定されている。
【００５７】
副光源（１６）を点灯すると、副光源（１６）から出光された光は、直接または遮光部材（５２）に反射されて、隣合い、遮光部材（５２）の開口側の副導光板（１８）の一方の副入光側面（１８ａ）に入光される。勿論、本実施例においても、前述の第１実施例同様、副光源（１６）から主導光板（１２）へ向けて出光された補助光は遮光部材（４０）の遮光部分（５２ａ）によって反射され、主導光板（１２）に直接入光されることはない。
【００５８】
そして、副導光板（１８）内に取り込まれた補助光は、前述同様、副出光面（１８ｃ）から出光され、主導光板（１２）の入光背面（１２ｂ）における主反射部（１３）が設けられていない補助光導入部（１５）に入光される。そして、主光源（１４）から出光された光が主反射部（１３）にて反射されることと相まって実施例１と同様出光面（１２ａ）全体から高輝度で略均一な輝度の光が出光されることとなる。
【００５９】
上述の実施例では、その幅が主導光板（１２）の幅（Ｌｍ）よりも短く設定された複数の副導光板（１８）を主導光板（１２）の背面側に配置し、副導光板（１８）の副入光側面（１８ａ）に沿って副光源（１６）を配置するようにしていたが、図６に示す面型照明装置（６０）のように、その幅が主導光板（１２）の幅（Ｌｍ）と略等しく設定された副導光板（６２）を主導光板（１２）の背面側に配置するとともに、副導光板（６２）の副反射面（６２ｂ）に複数の溝（６４）を形成し、この溝（６４）に沿って副光源（１６）を配置するようにしてもよい。
【００６０】
副導光板（６２）は、アクリル樹脂等のような透光性材料からなる板状部材であり、その幅は前述のように主導光板（１２）の幅（Ｌｍ）と略等しく設定され、その厚さ（Ｔａ２）は副光源（１６）の外径よりもやや大きめに設定されている。副導光板（６２）の両側端面は副入光側面（６２ａ）であり、副入光側面（６２ａ）と直交する背面は副反射面（６２ｂ）であり、副反射面（６２ｂ）と対向する前面は副出光面（６２ｃ）である。そして、前記副反射面（６２ｂ）には副光源（１６）配設用の複数（この実施例では４つ）の溝（６４）が、平行に延びて形成されており、溝（６４）に収納された副光源（１６）に対向している側面が溝側の副入光側面（６４ａ）であり、この溝側の副入光側面（６４ａ）間が実施例１における幅狭の副導光板（１８）に相当する副導光部（６２ｄ）である。
【００６１】
前記溝（６４）は、前述のように副光源（１６）を配設するための凹部であり、各溝（６４）の幅（Ｄ２）および深さは、副光源（１６）の外径よりもやや大きめに設定されている。なお、副光源（１６）と主導光板（１２）との間において副光源（１６）を遮蔽するように配設されている各遮光部材（２０）の幅（Ｌｓ１）は、各溝（６４）の幅（Ｄ２）と略等しく或いはそれよりも若干広く設定されている。
【００６２】
副導光板（６２）の副反射面（６２ｂ）には副反射部（６３）が形成されており、副導光板（６２）の両側の副入光側面（６２ａ）、或いは溝（６４）の溝側の副入光側面（６４ａ）から入光された補助光を副出光面（６２ｃ）へ向けて反射できるようになっている。なお、副反射部（６３）の構成については、第１実施例の副反射部（１９）と同様であるので、ここでは説明を省略する。
【００６３】
副光源（１６）を点灯すると、実施例１と同様副光源（１６）から出光された補助光は、直接または反射板（２２）或いはランプリフレクタ（２４）に反射され、副導光板（６２）に入光して副出光面（６２ｃ）から出光する。更にこの補助光は遮光部材（２０）同士の間を通過して、補助光導入部（１５）を通って出光面（１２ａ）から出光されることになるが、主光源（１４）から出光され、主反射部（１３）にて反射された光と共に出光面（１２ａ）から面全体において高輝度で略均一な輝度の光として出光されることとなる。
【００６４】
その他の実施例（実施例４）として、図７に示す面型照明装置（７０）のように、副光源（１６）を副導光板（７２）に形成された副光源（１６）挿通用の通孔（７４）［主光源（１４）と平行な方向に穿設されている。］に挿通するようにしてもよい。通孔（７４）は、その内径（Ｄ３）が副光源（１６）の外径より大きく穿設されており、その内側面が通孔側の入光側面（７４ａ）であり、この通孔側の入光側面（７４ａ）間が実施例１の幅狭の副導光板（１８）に相当する副導光部（７２ｄ）であり、前記溝（６４）と同様の働きをする。なお、その他の構成および作用は実施例３と同じであるので、その説明を本実施例の説明に代えて詳細を省略する。
【００６５】
なお、実施例３，４のように副導光板（６２）（７２）を一枚板で形成すると取り扱いが容易であり、組み立て作業が簡便になる。
【図面の簡単な説明】
【図１】この発明の面型照明装置を被照射体に取り付けた状態を示す斜視図である。
【図２】この発明の第１実施例を示すＸ−Ｘ線断面図である。
【図３】第１実施例における分解斜視図（一部省略）である。
【図４】遮光部材の別の実施態様を示す斜視図（一部省略）である。
【図５】この発明の第２実施例を示す正面断面図である。
【図６】この発明の第３実施例を示す正面断面図である。
【図７】この発明の第４実施例を示す正面断面図である。
【図８】従来例を示す正面断面図である。
【符号の説明】
（１２）…主導光板
（１４）…主光源
（１６）…副光源
（１８）…副導光板
（２０）…遮光部材
（２２）…反射板
（２４）…ランプリフレクタ
（２６）…拡散層
【図１】
2004178850.tif 000003
【図２】
2004178850.tif 000004
【図３】
2004178850.tif 000005
【図４】
2004178850.tif 000006
【図５】
2004178850.tif 000007
【図６】
2004178850.tif 000008
【図７】
2004178850.tif 000009
【図８】
2004178850.tif 000010
【手続補正書】
【提出日】平成14年11月28日(2002.11.28)
【手続補正１】
【補正対象書類名】明細書
【補正対象項目名】０００７
【補正方法】変更
【補正の内容】
【０００７】
即ち、直下型の面型照明装置（１ｂ）では、拡散板（７）の入光背面（７ａ）に沿って任意本数の光源（３）を配置することができるため、その出光面積の大小に関係なく高輝度の面光源を提供できるという利点がある。しかしながら、光源（３）のランプイメージが輝線として拡散板（７）に投影されてしまうので、たとえ拡散板（７）を通して出光したとしても拡散板（７）の光源（３）の近傍部分は明るく、拡散板（７）における光源（３）間或いは端部では光源（３）から離れるに次第に暗くなる。その結果、出光面（７ｂ）から出光される光には輝度ムラが存在し、このような直下型の面型照明装置（１ｂ）では、輝度ムラのある面光源しか得られないという問題がある。そこでこのような輝度ムラを少なくしようとすると、光源（３）を拡散板（７）から遠くに離したり或いは拡散板（７）の層厚を充分な厚さに設定して光源（３）から出光された光を拡散板（７）内にて十分に拡散し、輝度ムラをなくして面全体の均一な明るさを達成することも可能であるが、そのためには、その分面型照明装置（１ｂ）の総厚が分厚くなり、また、高コスト化してしまうという問題もあった。